(57)【要約】【課題】  利用者が管理処理を操作する対象とする法人の切り替えを容易に行うことを可能とする。【解決手段】  セキュリティ管理部１４は、ログインしようとする利用者を確認する。セキュリティ管理部１４は、利用者からの要求に応じて、複数の法人のうちで利用者による管理処理の操作が許容される法人を権限情報データベース２３に記憶された権限情報に基づいて選定する。セキュリティ管理部１４は、選定した法人のうちの１つを指定するように利用者に要求し、利用者により指定された１つの法人に対する管理処理を利用者による操作の対象として決定する。さらにセキュリティ管理部１４は、利用者により指定された法人に関して管理処理を行う際の条件を条件情報データベース２４に記憶された条件情報に基づいて決定する。【選択図】      図１
2008117017.tif 000002
【特許請求の範囲】
【請求項１】
複数の法人のそれぞれに関する情報を管理するための管理処理を行う法人情報管理システムに対する利用者のログインを管理するものであって、利用者に対応付けてその利用者による前記管理処理の操作が許容される前記法人を記述した権限情報を記憶する権限情報記憶装置と、前記複数の法人のそれぞれに対応付けてその法人に関して前記管理処理を行う際の条件を記述した条件情報を記憶する条件情報記憶装置とにそれぞれアクセス可能なログイン管理装置において、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記出力手段により出力された前記情報に基づいて前記利用者により指定された１つの法人に対する管理処理を前記利用者による操作の対象として決定する手段と、
前記利用者により指定された法人に関して前記管理処理を行う際の条件を前記条件情報記憶装置に記憶された条件情報に基づいて決定する手段とを具備したことを特徴とするログイン管理装置。
【請求項２】
複数の法人のそれぞれに関する情報を管理するための管理処理を行う法人情報管理システムに対する利用者のログインを管理するログイン管理システムにおいて、
利用者に対応付けてその利用者による前記管理処理の操作が許容される前記法人を記述した権限情報を記憶する権限情報記憶装置と、
前記複数の法人のそれぞれに対応付けてその法人に関して前記管理処理を行う際の条件を記述した条件情報を記憶する条件情報記憶装置と、
前記権限情報記憶装置および前記条件情報記憶装置のそれぞれにアクセス可能なログイン管理装置とを具備し、
前記ログイン管理装置はさらに、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記出力手段により出力された前記情報に基づいて前記利用者により指定された１つの法人に対する管理処理を前記利用者による操作の対象として決定する手段と、
前記利用者により指定された法人に関して前記管理処理を行う際の条件を前記条件情報記憶装置に記憶された条件情報に基づいて決定する手段とを具備したことを特徴とするログイン管理システム。
【請求項３】
複数の法人のそれぞれに関する情報を管理するための管理処理を行うものであって、利用者に対応付けてその利用者による前記管理処理の操作が許容される前記法人を記述した権限情報を記憶する権限情報記憶装置と、前記複数の法人のそれぞれに対応付けてその法人に関して前記管理処理を行う際の条件を記述した条件情報を記憶する条件情報記憶装置とにそれぞれアクセス可能な法人情報管理装置において、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記出力手段により出力された前記情報に基づいて前記利用者により指定された１つの法人に対する管理処理を前記利用者による操作の対象として決定する手段と、
前記利用者により指定された法人に関して前記管理処理を行う際の条件を前記条件情報記憶装置に記憶された条件情報に基づいて決定する手段、
前記操作の対象として決定された管理処理を前記決定された条件で行う手段とを具備したことを特徴とする法人情報管理装置。
【請求項４】
複数の法人のそれぞれに関する情報を管理するための管理処理を行う法人情報管理システムにおいて、
利用者に対応付けてその利用者による前記管理処理の操作が許容される前記法人を記述した権限情報を記憶する権限情報記憶装置と、
前記複数の法人のそれぞれに対応付けてその法人に関して前記管理処理を行う際の条件を記述した条件情報を記憶する条件情報記憶装置と、
前記権限情報記憶装置および前記条件情報記憶装置のそれぞれにアクセス可能な法人情報管理装置とを具備し、
前記法人情報管理装置はさらに、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記出力手段により出力された前記情報に基づいて前記利用者により指定された１つの法人に対する管理処理を前記利用者による操作の対象として決定する手段と、
前記利用者により指定された法人に関して前記管理処理を行う際の条件を前記条件情報記憶装置に記憶された条件情報に基づいて決定する手段と、
前記操作の対象として決定された管理処理を前記決定された条件で行う手段とを具備したことを特徴とする法人情報管理システム。
【請求項５】
複数の法人のそれぞれに関する情報を管理するための管理処理を行う法人情報管理システムに対する利用者のログインを管理するものであって、利用者に対応付けてその利用者による前記管理処理の操作が許容される前記法人を記述した権限情報を記憶する権限情報記憶装置にアクセス可能なログイン管理装置において、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記出力手段により出力された前記情報に基づいて前記利用者により指定された１つの法人に対する管理処理を前記利用者による操作の対象として決定する手段とを具備したことを特徴とするログイン管理装置。
【請求項６】
前記出力手段は、操作の対象とする法人の変更が前記利用者により指示されたことに応じて、前記選定された法人を前記利用者に提示するための情報を出力することを特徴とする請求項１または請求項５に記載のログイン管理装置。
【請求項７】
複数の法人のそれぞれに関する情報を管理するための管理処理を行う法人情報管理システムに対する利用者のログインを管理するログイン管理システムにおいて、
利用者に対応付けてその利用者による前記管理処理の操作が許容される前記法人を記述した権限情報を記憶する権限情報記憶装置と、
前記権限情報記憶装置にアクセス可能なログイン管理装置とを具備し、
前記ログイン管理装置はさらに、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記出力手段により出力された前記情報に基づいて前記利用者により指定された１つの法人に対する管理処理を前記利用者による操作の対象として決定する手段とを具備したことを特徴とするログイン管理システム。
【請求項８】
前記出力手段は、操作の対象とする法人の変更が前記利用者により指示されたことに応じて、前記選定された法人を前記利用者に提示するための情報を出力することを特徴とする請求項２または請求項７に記載のログイン管理システム。
【請求項９】
複数の法人のそれぞれに関する情報を管理するための管理処理を行うものであって、利用者に対応付けてその利用者による前記管理処理の操作が許容される前記法人を記述した権限情報を記憶する権限情報記憶装置にアクセス可能な法人情報管理装置において、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記出力手段により出力された前記情報に基づいて前記利用者により指定された１つの法人に対する管理処理を前記利用者による操作の対象として決定する手段と前記操作の対象として決定された管理処理を行う手段とを具備したことを特徴とする法人情報管理装置。
【請求項１０】
前記要求手段は、操作の対象とする法人の変更が前記利用者により指示されたことに応じて、前記選定された法人を前記利用者に提示するための情報を出力することを特徴とする請求項３または請求項１０に記載の法人情報管理装置。
【請求項１１】
複数の法人のそれぞれに関する情報を管理するための管理処理を行う法人情報管理システムにおいて、
利用者に対応付けてその利用者による前記管理処理の操作が許容される前記法人を記述した権限情報を記憶する権限情報記憶装置と、
前記権限情報記憶装置にアクセス可能な法人情報管理装置とを具備し、
前記法人情報管理装置はさらに、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記利用者により指定された１つの法人に対する管理処理を前記利用者による操作の対象として決定する手段と、
前記操作の対象として決定された管理処理を行う手段とを具備したことを特徴とする法人情報管理システム。
【請求項１２】
前記要求手段は、操作の対象とする法人の変更が前記利用者により指示されたことに応じて、前記選定された法人を前記利用者に提示するための情報を出力することを特徴とする請求項４または請求項１１に記載の法人情報管理システム。
【請求項１３】
利用者に対応付けてその利用者による前記管理処理の操作が許容される法人を記述した権限情報を記憶する権限情報記憶装置と、複数の前記法人のそれぞれに対応付けてその法人に関して前記管理処理を行う際の条件を記述した条件情報を記憶する条件情報記憶装置とにそれぞれアクセス可能なコンピュータを、前記複数の法人のそれぞれに関する情報を管理するための管理処理を行う法人情報管理システムに対する利用者のログインを管理するログイン管理装置として機能させるログイン管理プログラムであって、
前記コンピュータを、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記利用者により指定された１つの法人に対する管理処理を前記利用者による操作の対象として決定する手段と、
前記利用者により指定された法人に関して前記管理処理を行う際の条件を前記条件情報記憶装置に記憶された条件情報に基づいて決定する手段として機能させることを特徴とするログイン管理プログラム。
【請求項１４】
利用者に対応付けてその利用者による管理処理の操作が許容される法人を記述した権限情報を記憶する権限情報記憶装置と、複数の前記法人のそれぞれに対応付けてその法人に関して前記管理処理を行う際の条件を記述した条件情報を記憶する条件情報記憶装置とにそれぞれアクセス可能なコンピュータを、前記複数の法人のそれぞれに関する情報を管理するための前記管理処理を行う法人情報管理装置として機能させる法人情報管理プログラムであって、
前記コンピュータを、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記利用者により指定された１つの法人に対する管理処理を前記利用者による操作の対象として決定する手段と、
前記利用者により指定された法人に関して前記管理処理を行う際の条件を前記条件情報記憶装置に記憶された条件情報に基づいて決定する手段、
前記操作の対象として決定された管理処理を前記決定された条件で行う手段として機能させることを特徴とする法人情報管理プログラム。
【請求項１５】
利用者に対応付けてその利用者による管理処理の操作が許容される法人を記述した権限情報を記憶する権限情報記憶装置にアクセス可能なコンピュータを、複数の前記法人のそれぞれに関する情報を管理するための管理処理を行う法人情報管理システムに対する利用者のログインを管理するログイン管理装置として機能させるログイン管理プログラムであって、
前記コンピュータを、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記利用者により指定された１つの法人に対する管理処理を前記利用者による操作の対象として決定する手段として機能させることを特徴とするログイン管理プログラム。
【請求項１６】
利用者に対応付けてその利用者による管理処理の操作が許容される法人を記述した権限情報を記憶する権限情報記憶装置にアクセス可能なコンピュータを、複数の前記法人のそれぞれに関する情報を管理するための管理処理を行う法人情報管理装置として機能させる法人情報管理プログラムであって、
前記コンピュータを、
ログインしようとする利用者を確認する手段と、
前記利用者からの要求に応じて、前記複数の法人のうちで前記利用者による前記管理処理の操作が許容される法人を前記権限情報記憶装置に記憶された前記権限情報に基づいて選定する手段と、
前記選定された法人を前記利用者に提示するための情報を出力する出力手段と、
前記出力手段により出力された前記情報に基づいて前記利用者により指定された１つの法人に対する管理処理を前記利用者による操作の対象として決定する手段と前記操作の対象として決定された管理処理を行う手段として機能させることを特徴とする法人情報管理プログラム。
【発明の詳細な説明】
【技術分野】
【０００１】
本発明は、人事給与情報などのような法人のそれぞれに関した情報を管理するための管理処理を複数の法人に関して行うための法人情報管理システムに対する利用者のログインを管理するログイン管理装置、ログイン管理システム、法人情報管理装置、法人情報管理システム、ログイン管理プログラムおよび法人情報管理プログラムに関する。
【背景技術】
【０００２】
人事給与情報は、一般的に法人毎に管理される。
【０００３】
しかし、複数の法人が法人グループを形成している場合には、法人グループの管理者においても各法人に関する人事給与情報の管理を行う場合がある。そこで、複数の法人のそれぞれに関する人事給与情報の管理を統括して行うようにした人事給与情報管理システムが知られている（例えば、特許文献１を参照）。
【特許文献１】特開２００３−３２３５２８
【発明の開示】
【発明が解決しようとする課題】
【０００４】
上記の人事給与情報管理システムでは、複数の法人のそれぞれに関する人事給与情報を管理しているものの、各人事給与情報は法人毎に個別に管理されており、利用者は法人を選んでその法人に関する管理処理にログインする必要があった。
【０００５】
このため、利用者が管理処理を操作する対象となっている法人を切り替える場合には、利用者は現在ログインしている管理処理からログアウトした上で、別の法人に関する管理処理にログインし直さなければならず、利用者の利便性が低かった。
【０００６】
本発明はこのような事情を考慮してなされたものであり、その目的とするところは、利用者が管理処理を操作する対象とする法人の切り替えを容易に行うことを可能とすることにある。
【課題を解決するための手段】
【０００７】
本発明の第１の態様によるログイン管理装置は、複数の法人のそれぞれに関する情報を管理するための管理処理を行う法人情報管理システムに対する利用者のログインを管理するものであって、利用者に対応付けてその利用者による前記管理処理の操作が許容される前記法人を記述した権限情報を記憶する権限情報記憶装置と、前記複数の法人のそれぞれに対応付けてその法人に関して前記管理処理を行う際の条件を記述した条件情報を記憶する条件情報記憶装置とにそれぞれアクセス可能であって、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と、前記利用者により指定された法人に関して前記管理処理を行う際の条件を前記条件情報記憶装置に記憶された条件情報に基づいて決定する手段とを備える。
【０００８】
本発明の第２の態様によるログイン管理システムは、複数の法人のそれぞれに関する情報を管理するための管理処理を行う法人情報管理システムに対する利用者のログインを管理するものであって、利用者に対応付けてその利用者による前記管理処理の操作が許容される前記法人を記述した権限情報を記憶する権限情報記憶装置と、前記複数の法人のそれぞれに対応付けてその法人に関して前記管理処理を行う際の条件を記述した条件情報を記憶する条件情報記憶装置と、前記権限情報記憶装置および前記条件情報記憶装置のそれぞれにアクセス可能なログイン管理装置とを具備し、前記ログイン管理装置はさらに、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と、前記利用者により指定された法人に関して前記管理処理を行う際の条件を前記条件情報記憶装置に記憶された条件情報に基づいて決定する手段とを備える。
【０００９】
本発明の第３の態様による法人情報管理装置は、複数の法人のそれぞれに関する情報を管理するための管理処理を行うものであって、利用者に対応付けてその利用者による前記管理処理の操作が許容される前記法人を記述した権限情報を記憶する権限情報記憶装置と、前記複数の法人のそれぞれに対応付けてその法人に関して前記管理処理を行う際の条件を記述した条件情報を記憶する条件情報記憶装置とにそれぞれアクセス可能であって、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と、前記利用者により指定された法人に関して前記管理処理を行う際の条件を前記条件情報記憶装置に記憶された条件情報に基づいて決定する手段、前記操作の対象として決定された管理処理を前記決定された条件で行う手段とを備える。
【００１０】
本発明の第４の態様による法人情報管理システムは、複数の法人のそれぞれに関する情報を管理するための管理処理を行うものであって、利用者に対応付けてその利用者による前記管理処理の操作が許容される前記法人を記述した権限情報を記憶する権限情報記憶装置と、前記複数の法人のそれぞれに対応付けてその法人に関して前記管理処理を行う際の条件を記述した条件情報を記憶する条件情報記憶装置と、前記権限情報記憶装置および前記条件情報記憶装置のそれぞれにアクセス可能な法人情報管理装置とを具備し、前記法人情報管理装置はさらに、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と、前記利用者により指定された法人に関して前記管理処理を行う際の条件を前記条件情報記憶装置に記憶された条件情報に基づいて決定する手段と、前記操作の対象として決定された管理処理を前記決定された条件で行う手段とを備える。
【００１１】
本発明の第５の態様によるログイン管理装置は、利用者に対応付けてその利用者による管理処理の操作が許容される法人を記述した権限情報を記憶する権限情報記憶装置にアクセス可能で、複数の前記法人のそれぞれに関する情報を管理するための前記管理処理を行う法人情報管理システムに対する利用者のログインを管理するものであって、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段とを備える。
【００１２】
本発明の第６の態様によるログイン管理システムは、複数の法人のそれぞれに関する情報を管理するための管理処理を行う法人情報管理システムに対する利用者のログインを管理するものであって、利用者に対応付けてその利用者による前記管理処理の操作が許容される前記法人を記述した権限情報を記憶する権限情報記憶装置と、前記権限情報記憶装置にアクセス可能なログイン管理装置とを具備し、前記ログイン管理装置はさらに、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段とを備えた。
【００１３】
本発明の第７の態様による法人情報管理装置は、利用者に対応付けてその利用者による管理処理の操作が許容される法人を記述した権限情報を記憶する権限情報記憶装置にアクセス可能で、複数の前記法人のそれぞれに関する情報を管理するための前記管理処理を行うものであって、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と前記操作の対象として決定された管理処理を行う手段とを備える。
【００１４】
本発明の第８の態様による法人情報管理システムは、複数の法人のそれぞれに関する情報を管理するための管理処理を行うものであって、利用者に対応付けてその利用者による前記管理処理の操作が許容される前記法人を記述した権限情報を記憶する権限情報記憶装置と、前記権限情報記憶装置にアクセス可能な法人情報管理装置とを具備し、前記法人情報管理装置はさらに、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と、前記操作の対象として決定された管理処理を行う手段とを備える。
【００１５】
本発明の第９の態様によるログイン管理プログラムは、利用者に対応付けてその利用者による前記管理処理の操作が許容される法人を記述した権限情報を記憶する権限情報記憶装置と、複数の前記法人のそれぞれに対応付けてその法人に関して前記管理処理を行う際の条件を記述した条件情報を記憶する条件情報記憶装置とにそれぞれアクセス可能なコンピュータを、前記複数の法人のそれぞれに関する情報を管理するための管理処理を行う法人情報管理システムに対する利用者のログインを管理するログイン管理装置として機能させるものであって、前記コンピュータを、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と、前記利用者により指定された法人に関して前記管理処理を行う際の条件を前記条件情報記憶装置に記憶された条件情報に基づいて決定する手段として機能させる。
【００１６】
本発明の第１０の態様による法人情報管理プログラムは、利用者に対応付けてその利用者による管理処理の操作が許容される法人を記述した権限情報を記憶する権限情報記憶装置と、複数の前記法人のそれぞれに対応付けてその法人に関して前記管理処理を行う際の条件を記述した条件情報を記憶する条件情報記憶装置とにそれぞれアクセス可能なコンピュータを、前記複数の法人のそれぞれに関する情報を管理するための前記管理処理を行う法人情報管理装置として機能させる法人情報管理プログラムであって、前記コンピュータを、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と、前記利用者により指定された法人に関して前記管理処理を行う際の条件を前記条件情報記憶装置に記憶された条件情報に基づいて決定する手段、前記操作の対象として決定された管理処理を前記決定された条件で行う手段として機能させる。
【００１７】
本発明の第１１の態様によるログイン管理プログラムは、利用者に対応付けてその利用者による管理処理の操作が許容される法人を記述した権限情報を記憶する権限情報記憶装置にアクセス可能なコンピュータを、複数の前記法人のそれぞれに関する情報を管理するための管理処理を行う法人情報管理システムに対する利用者のログインを管理するログイン管理装置として機能させるものであって、前記コンピュータを、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段として機能させる。
【００１８】
本発明の第１２の態様による法人情報管理プログラムは、利用者に対応付けてその利用者による管理処理の操作が許容される法人を記述した権限情報を記憶する権限情報記憶装置にアクセス可能なコンピュータを、複数の前記法人のそれぞれに関する情報を管理するための管理処理を行う法人情報管理装置として機能させるものであって、前記コンピュータを、ログインしようとする利用者を確認する手段と、前記利用者からの要求に応じて、前記複数の法人のうちで前記利用者による前記管理処理の操作が許容される法人を前記権限情報記憶装置に記憶された前記権限情報に基づいて選定する手段と、前記選定された法人を前記利用者に提示するための情報を出力する出力手段と、前記出力手段により出力された前記情報に基づいて前記利用者により指定された１つの法人に対する管理処理を前記利用者による操作の対象として決定する手段と前記操作の対象として決定された管理処理を行う手段として機能させる。
【発明の効果】
【００１９】
本発明によれば、利用者が管理処理を操作する対象とする法人の切り替えを容易に行うことを可能とすることができる。
【発明を実施するための最良の形態】
【００２０】
以下、図面を参照して本発明の法人情報管理システムを適用して実現される人事給与情報管理システムの一実施形態について説明する。
【００２１】
図１は本実施形態に係る人事給与情報管理システム１００の構成を示すブロック図である。
【００２２】
この人事給与情報管理システム１００は、アプリケーションサーバ１およびデータベースサーバ２を含む。そして人事給与情報管理システム１００は、クライアント端末３からの利用者の操作に応じて、法人における人事給与の管理業務を支援するための処理を行う。なおクライアント端末３は、例えばインターネット、社内ＬＡＮ、公衆交換網、あるいは専用線などを介してアプリケーションサーバ１に接続可能である。
【００２３】
アプリケーションサーバ１は、人事給与情報管理部１１、法人管理部１２、利用者管理部１３およびセキュリティ管理部１４を含む。データベースサーバ２は、人事給与情報データベース２１、法人情報データベース２２、利用者情報データベース２３、権限情報データベース２４および条件情報データベース２５を有している。
【００２４】
人事給与情報管理部１１は、複数の法人に関する人事給与情報を管理するための人事給与情報管理処理を行う。この人事給与情報管理処理は、例えば給与／賞与の計算、年末調整業務、発令、人事検索、組織改正、社員情報管理、あるいは社員情報の申請などである。人事給与情報管理部１１は、人事給与情報管理処理を行うに当たり、人事給与情報データベース２１に記憶された人事給与情報を参照する。また人事給与情報管理部１１は、人事給与情報管理処理によって新たに得られた情報によって人事給与情報データベース２１に記憶された人事給与情報を更新する。
【００２５】
法人管理部１２は、人事給与情報管理システム１００での人事給与情報の管理の対象となる法人を管理可能とするために、法人情報データベース２２に記憶された法人情報を管理する。
【００２６】
利用者管理部１３は、人事給与情報管理処理を操作する利用者を管理可能とするために、利用者情報データベース２３に記憶された利用者情報を管理する。
【００２７】
セキュリティ管理部１４は、次の様ないくつかの機能を有する。１つ目の機能は、ログインしようとする利用者を確認する。２つ目の機能は、利用者からの要求に応じて、複数の法人のうちで利用者による人事給与情報管理処理の操作が許容される法人を選定する。この選定に当たってセキュリティ管理部１４は、権限情報データベース２４に記憶された権限情報を参照する。３つ目の機能は、上記の選定された法人のうちの１つを指定するように利用者に促す。４つ目の機能は、利用者により指定された１つの法人に対する人事給与情報管理処理を利用者による操作の対象として決定する。５つ目の機能は、上記の指定された法人に関して人事給与管理処理を行う際の条件を決定する。この決定に当たってセキュリティ管理部１４は、条件情報データベース２５に記憶された条件情報を参照する。
【００２８】
図２は法人情報データベース２２に記憶された法人情報の一例を示す図である。
【００２９】
法人情報は、人事給与情報管理システム１００での人事給与情報の管理の対象として登録された法人のそれぞれの法人名称を、各法人に対して割り当てられた法人ＩＤに対応付けて記述した情報である。
【００３０】
図３は利用者情報データベース２３に記憶された利用者情報の一例を示す図である。
【００３１】
利用者情報は、人事給与情報管理処理の操作を許容するように登録された利用者のそれぞれの利用者名と、各利用者に対して発行されたパスワードおよび過去パスワードとを、各利用者に対して割り当てられた利用者ＩＤに対応付けて記述した情報である。
【００３２】
図４は権限情報データベース２４に記憶された権限情報の一例を示す図である。
【００３３】
権限情報は、利用者ＩＤに対応付けて、その利用者ＩＤが割り当てられている利用者による人事給与情報管理処理の操作を許容するとして登録された法人の法人ＩＤを記述した情報である。
【００３４】
図５は条件情報データベース２５に記憶された条件情報の一例を示す図である。
【００３５】
条件情報は、法人ＩＤに対応付けて、その法人ＩＤが割り当てられている法人についての人事給与情報管理処理を行う際の条件を記述した情報である。図５の例では、条件としてＣＳＶログ出力先、帳票ログ出力先、Ａ機能使用可否およびＢ機能使用可否の情報を含んでいる。ＣＳＶログ出力先は、ＣＳＶ（comma-separated value）形式のログをどこに出力するかを表す。帳票ログ出力先は、帳票形式のログをどこに出力するかを表す。Ａ機能使用可否およびＢ機能使用可否は、人事給与管理処理のうちのある機能の使用を許容するか否かを表す。条件情報に記述される条件は、これらの４つに限られるものではなく、監査用のログをどこに出力するかや、より多くの機能の使用可否などの任意の条件を含めても良い。また条件情報に記述される条件には、上記の条件の全てを含んでいる必要は無い。
【００３６】
アプリケーションサーバ１は、例えば汎用のサーバ装置やコンピュータ装置を基本ハードウェアとして用いることができる。そして人事給与情報管理部１１、法人管理部１２、利用者管理部１３およびセキュリティ管理部１４は、上記のサーバ装置やコンピュータ装置に搭載されたプロセッサにプログラムを実行させることにより実現することができる。このときにアプリケーションサーバ１は、上記のプログラムが上記のサーバ装置やコンピュータ装置に予めインストールされて実現されても良いし、磁気ディスク、光磁気ディスク、光ディスク、半導体メモリなどのようなリムーバブルな記録媒体に記録して、あるいはネットワークを介して上記のプログラムを配布し、このプログラムをサーバ装置やコンピュータ装置に適宜インストールして実現されても良い。なお、上記の各部は、その一部または全てをロジック回路などのハードウェアにより実現することも可能である。また上記の各部のそれぞれは、ハードウェアとソフトウェア制御とを組み合わせて実現することも可能である。なお、人事給与情報管理部１１、法人管理部１２、利用者管理部１３およびセキュリティ管理部１４は、１つのプログラムによって実現されても良いし、複数のプログラムによる処理を連携させることによって実現されても良い。アプリケーションサーバ１は、複数のサーバ装置やコンピュータ装置を用いた分散処理により実現することもできる。例えば、人事給与情報管理部１１と、法人管理部１２、利用者管理部１３およびセキュリティ管理部１４とを、それぞれ別のサーバ装置やコンピュータ装置を用いて実現しても良い。
【００３７】
データベースサーバ２は、例えば汎用のサーバ装置やコンピュータ装置と、上記のサーバ装置やコンピュータ装置に内蔵されたメモリやハードディスク装置などの記憶デバイス、上記のサーバ装置やコンピュータ装置に外付けされたメモリやハードディスク装置などの記憶デバイス、さらには磁気ディスク、光磁気ディスク、光ディスクなどのようなリムーバブルな記録媒体などとを基本ハードウェアとして用いることができる。人事給与情報データベース２１、法人情報データベース２２、利用者情報データベース２３、権限情報データベース２４および条件情報データベース２５は、上記の記憶デバイスや記憶媒体に設けられる。
【００３８】
かくしてアプリケーションサーバ１は、法人情報管理装置としての機能を備える。データベースサーバ２は、権限情報記憶装置および条件情報記憶装置としての機能を備える。
【００３９】
次に以上のように構成された人事給与情報管理システム１００の動作につき説明する。
【００４０】
人事給与情報管理システム１００による人事給与情報管理処理を利用しようとする利用者がクライアント端末３から人事給与情報管理システム１００にアクセスしてきたことに応じて、セキュリティ管理部１４が図６の左側に示すような処理を起動する。
【００４１】
ステップＳａ１においてセキュリティ管理部１４は、アクセスしてきた利用者を確認する。この確認には、利用者情報データベース２３に記憶された利用者ＩＤとパスワードとを利用する。セキュリティ管理部１４は、アクセスしてきた利用者が登録された利用者であることを確認したならば、当該利用者をログインさせ、ステップＳａ２に移行する。
【００４２】
ステップＳａ２においてセキュリティ管理部１４は、上記の利用者による人事給与情報管理処理の操作が許容される法人を選定する。ステップＳａ３においてセキュリティ管理部１４は、許容される法人が有ったか否かを確認する。そして許容される法人が有ったならば、セキュリティ管理部１４はステップＳａ３からステップＳａ４へ進む。ステップＳａ４においてセキュリティ管理部１４は、ステップＳａ２にて選定した法人の一覧を示した法人選択画面を表す情報をクライアント端末３へと出力する。これに応じてクライアント端末３では、法人選択画面が表示される。
【００４３】
具体的には、権限情報データベース２４に記憶された権限情報が図４に示したものであって、かつ利用者が「システム担当者」であるならば、法人ＩＤが「Ａ００１」「Ｂ００１」「Ｃ００１」のそれぞれである法人が選定される。そして、例えば図７に示すように、選定された法人の法人名称の一覧５１を含んだ法人選択画面５０がクライアント端末３にて表示されることになる。
【００４４】
例えば、法人選択画面にて、所望の法人の法人名称上をクリックするなどして利用者が１つの法人を指定すると、その情報がクライアント端末３にからアプリケーションサーバ１に送信される。そこでステップＳａ５においてセキュリティ管理部１４は、上記の情報に基づいて利用者が指定した法人を判断し、当該法人を操作対象法人として決定する。
【００４５】
ステップＳａ６においてセキュリティ管理部１４は、操作対象法人の法人ＩＤに対応付けて条件情報データベース２５に記述された条件を読み出すことによって、操作対象法人に関する人事給与情報管理処理の条件を決定する。
【００４６】
そしてステップＳａ７においてセキュリティ管理部１４は、人事給与情報管理処理の開始を人事給与情報管理部１１に対して指示する。この際にセキュリティ管理部１４は、決定した操作対象法人と、処理条件とを人事給与情報管理部１１に対して通知する。
【００４７】
このような指示を受けたことに応じて人事給与情報管理部１１は、図６の右側に示すような処理を起動する。
【００４８】
ステップＳｂ１において人事給与情報管理部１１は、操作対象法人に関する人事給与情報管理処理を開始する。人事給与情報管理処理を開始すると人事給与情報管理部１１は、例えば図８に示すような業務画面６０をクライアント端末３にて表示させる。業務画面６０には、法人切替ボタン６１およびログアウトボタン６１が設けられている。なお、業務画面６０における領域６３は、人事給与情報管理処理に拘わる実質的な情報表示に利用される。
【００４９】
利用者による何らかの操作がなされたならば、人事給与情報管理部１１はステップＳｂ２からステップＳｂ３へ進む。ステップＳｂ３およびステップＳｂ４において人事給与情報管理部１１は、上記の利用者による操作がログアウトボタン６２の押下および法人切替ボタン６１の押下のいずれかであるか否かを確認する。もし、ログアウトボタン６２の押下および法人切替ボタン６１の押下のいずれでもなければ、人事給与情報管理部１１はステップＳｂ４からステップＳｂ５へ進む。ステップＳｂ５において人事給与情報管理部１１は、上記の利用者の操作に応じて、人事給与情報管理のための実質的な処理を、セキュリティ管理部１４から通知された処理条件に従って実行する。こののちに人事給与情報管理部１１は、ステップＳｂ２の待ち受け状態に戻る。
【００５０】
さて、上記の利用者による操作が法人切替ボタン６１の押下であったならば、人事給与情報管理部１１はステップＳｂ４からステップＳｂ６へ進む。ステップＳｂ６において人事給与情報管理部１１は、セキュリティ管理部１４に対して操作対象法人の切り替えを要求する。こののちに人事給与情報管理部１１は、再度の起動に備えて図６の処理を停止する。
【００５１】
セキュリティ管理部１４は、ステップＳａ７にて人事給与情報管理処理の開始を人事給与情報管理部１１に対して指示したのちに、ステップＳａ８およびステップＳａ９の待ち受け状態に移行する。この待ち受け状態においてセキュリティ管理部１４は、切り替え要求またはログアウト要求が人事給与情報管理部１１からなされるのを待ち受ける。従って、上記のように操作対象法人の切り替えが要求されたならば、セキュリティ管理部１４はステップＳａ８からステップＳａ２へ処理を移行し、ステップＳａ２以降の処理を再度行う。かくして、例えば図７に示す法人選択画面５０のような画面がクライアント端末３にて表示されて、利用者は操作対象法人の指定を再度行うことができる。
【００５２】
さて、上記の利用者による操作がログアウトボタン６２の押下であったならば、人事給与情報管理部１１はステップＳｂ３からステップＳｂ７へ進む。ステップＳｂ７において人事給与情報管理部１１は、セキュリティ管理部１４に対してログアウトを要求する。そして人事給与情報管理部１１は、ログアウトのために図６の処理を停止する。
【００５３】
このようにログアウトが要求されたならば、セキュリティ管理部１４はステップＳａ８およびステップＳａ９における待ち受け状態をステップＳａ９から抜け出し、図６の処理を停止することによってログアウトする。
【００５４】
なお、ステップＳａ２において許容法人が１つも選定できなかった場合には、セキュリティ管理部１４はステップＳａ３からステップＳａ１０へ進む。ステップＳａ１０においてセキュリティ管理部１４は、人事給与情報管理処理を操作する権限が無いことを利用者に警告する表示をクライアント端末３にて行わせるなどのエラー処理を行い、こののちに図６の処理を停止する。
【００５５】
以上のように本実施形態によれば、ログイン時に利用者の確認を行っておき、ログイン中の利用者による人事給与情報管理処理の操作が許容される法人のうちの１つが新たに指定されたならば、その法人を人事給与情報管理処理における操作対象法人とするように切り替える。従って、操作対象法人を切り替えるに当たり、利用者はログアウトおよびログインを繰り返す必要がなく、そのための利用者の負担が軽減される。そしてこの結果、利用者は、法人を切り替えながらの人事給与情報の管理業務を効率的に遂行することが可能となる。
【００５６】
また本実施形態によれば、操作対象法人を切り替えるに際して、切り替え後の操作対象法人に応じた処理条件を自動的に設定するので、処理条件の再設定のための利用者の負担が無いとともに、切り替え後の操作対象法人に関する人事給与情報管理処理を速やかに開始することができる。
【００５７】
この実施形態は、次のような種々の変形実施が可能である。
【００５８】
本発明は、人事給与情報以外の、例えば営業実績情報などの法人において管理すべきあらゆる情報の管理処理に関して適用することが可能である。
【００５９】
業務画面の一部領域に法人を選択するメニューを設けておき、このメニューの操作に応じて操作対象法人を切り替えるようにしても良い。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６１】
【図１】本発明の一実施形態に係る人事給与情報管理システム１００の構成を示すブロック図。
【図２】図１中の法人情報データベース２２に記憶された法人情報の一例を示す図。
【図３】図１中の利用者情報データベース２３に記憶された利用者情報の一例を示す図。
【図４】図１中の権限情報データベース２４に記憶された権限情報の一例を示す図。
【図５】図１中の条件情報データベース２５に記憶された条件情報の一例を示す図。
【図６】図１中の人事給与情報管理部１１およびセキュリティ管理部１４の処理手順を示すフローチャート。
【図７】法人選択画面の一例を示す図。
【図８】業務画面の一例を示す図。
【符号の説明】
【００６２】
１…アプリケーションサーバ、２…データベースサーバ、３…クライアント端末、１１…人事給与情報管理部、１２…法人管理部、１３…利用者管理部、１４…セキュリティ管理部、２１…人事給与情報データベース、２２…法人情報データベース、２３…利用者情報データベース、２４…権限情報データベース、２５…条件情報データベース、１００…人事給与情報管理システム。
【図１】
2008117017.tif 000003
【図２】
2008117017.tif 000004
【図３】
2008117017.tif 000005
【図４】
2008117017.tif 000006
【図５】
2008117017.tif 000007
【図６】
2008117017.tif 000008
【図７】
2008117017.tif 000009
【図８】
2008117017.tif 000010